【手続補正書】
【提出日】平成27年4月7日(2015.4.7)
【手続補正１】
【補正対象書類名】明細書
【補正対象項目名】発明の名称
【補正方法】変更
【補正の内容】
【発明の名称】照明変更／最適化システム
【手続補正２】
【補正対象書類名】特許請求の範囲
【補正対象項目名】全文
【補正方法】変更
【補正の内容】
【特許請求の範囲】
【請求項１】
複数の照明ユニットを有する照明ネットワークのための照明管理システムであって、
中央制御装置と、
複数の照明ユニット制御装置と、
前記中央制御装置及び前記照明ユニット制御装置を動作的に接続する通信システムと、
を有し、前記中央制御装置は、
構成要求を受信し、
最適化目標／制約を受信し、
前記構成要求に関連する、前記複数の照明ユニット制御装置に動作的に接続された照明ユニットを識別し、
照明要件、照度モデル及びコストモデルのうちの少なくとも１つが変化したかを判定し、
前記照明要件、照度モデル及びコストモデルのうちの少なくとも１つが変化した場合に該照明要件、照度モデル及びコストモデルのうちの少なくとも１つを更新し、
前記識別された照明ユニットの動作を、前記最適化目標／制約、照明要件、照度モデル及びコストモデルの関数として最適化し、
前記識別された照明ユニットに前記最適化された動作に従って動作するよう指令するために、前記複数の照明ユニット制御装置に動作命令を送信する、
照明管理システム。
【請求項２】
前記中央制御装置が、更に、
第１の関心領域に関する動作測定値を受信し、
前記動作測定値が所望の成績範囲内であるかを判定し、
前記動作測定値が前記所望の成績範囲内でない場合に前記照度モデルを更新し、
前記コストモデルが変化したかを判定し、
前記コストモデルが変化した場合に該コストモデルを更新し、
前記識別された照明ユニットの動作を、前記最適化目標／制約、照明要件、照度モデル及びコストモデルの関数として最適化し、
前記識別された照明ユニットに前記最適化された動作に従って動作するよう指令するために、前記複数の照明ユニット制御装置の少なくとも１つに動作命令を送信する、
請求項１に記載のシステム。
【請求項３】
前記中央制御装置が、更に、
第２の関心領域に関する測定の必要性を識別し、
前記第２の関心領域に関する移動感知装置の利用可能性をチェックし、
前記移動感知装置の利用可能性を考慮して、探査が必要とされるかを判定し、
前記探査が必要とされる場合に、利用可能な移動感知装置を探査し、
前記利用可能な移動感知装置から動作測定値を収集する、
請求項２に記載のシステム。
【請求項４】
前記中央制御装置が、更に、
関心領域（ＡＯＩ）の識別情報、測定期間明細、レポートモード及び測定タイプを含む、前記測定の必要性のための測定ウインドウを構成し、
前記利用可能な移動感知装置から動作測定値を前記測定ウインドウに従って収集する、
請求項３に記載のシステム。
【請求項５】
前記中央制御装置が、更に、前記利用可能な移動感知装置の１つに固有に関連付けられた情報を非特定化する請求項３に記載のシステム。
【請求項６】
前記中央制御装置が、更に、
前記利用可能な移動感知装置に特定の測定を実行するよう指令し、
前記特定の測定の測定結果を受信し、
前記利用可能な移動感知装置が前記受信された測定結果により正しく校正されたかを判定する、
請求項３に記載のシステム。
【請求項７】
前記特定の測定が、選択された照明ユニットに関する特定の測定である請求項６に記載のシステム。
【請求項８】
前記中央制御装置が、更に、
前記利用可能な移動感知装置の１つのユーザに、該利用可能な移動感知装置の１つを既知の照明値を有する選択された位置に置くよう要求し、
前記利用可能な移動感知装置の１つにより少なくとも１つの照明測定を実行し、
前記利用可能な移動感知装置の１つを、前記少なくとも１つの照明測定に基づいて前記既知の照明値に対し校正する、
請求項３に記載のシステム。
【請求項９】
前記既知の照明値が基準光センサから取得される請求項８に記載のシステム。
【請求項１０】
前記基準光センサが特定の照明ユニットに関連付けられ、前記中央制御装置が、更に、前記利用可能な移動感知装置の１つのユーザに該移動感知装置の１つを前記特定の照明ユニットに置くよう要求する請求項９に記載のシステム。
【請求項１１】
前記既知の照明値が、事前に校正された移動感知装置から取得される請求項８に記載のシステム。
【請求項１２】
前記第１の関心領域が前記第２の関心領域と同一である請求項３に記載のシステム。
【請求項１３】
前記第１の関心領域が前記第２の関心領域とは異なる請求項３に記載のシステム。
【請求項１４】
移動感知装置が、
前記中央制御装置からのコマンドに反応し、
測定ウインドウを構成し、
前記測定ウインドウに関して測定を実行し、
該測定を前記中央制御装置に報告する、
請求項２に記載のシステム。
【請求項１５】
前記移動感知装置が、前記中央制御装置からダウンロードされたユーザソフトウェアを含む請求項１４に記載のシステム。
【請求項１６】
前記移動感知装置が、ユーザに該移動感知装置を前記中央制御装置に登録することを許可する請求項１４に記載のシステム。
【請求項１７】
前記移動感知装置が、ユーザにデフォルトの測定ウインドウを構成することを許可する請求項１４に記載のシステム。
【請求項１８】
前記中央制御装置が、更に、
移動感知装置を登録し、
ユーザに、前記登録された移動感知装置により測定を実行するよう要求し、
前記ユーザが前記登録された移動感知装置により前記測定を実行することに応答して、該ユーザに利益を提供する、
請求項２に記載のシステム。
【請求項１９】
前記動作測定値が実験的方法により決定される請求項２に記載のシステム。
【請求項２０】
前記中央制御装置が前記構成要求、最適化目標／制約、照明要件、照度モデル及びコストモデルを記憶する請求項１に記載のシステム。
【請求項２１】
前記構成要求が、ユーザ、管理者、電力供給者及び規制者からなる群から選択されるエージェントから受信される請求項１に記載のシステム。
【請求項２２】
前記コストモデルが、エージェントから受信されるコスト情報から計算される請求項１に記載のシステム。
【請求項２３】
前記中央制御装置が、更に、前記識別された照明ユニットの動作を検索可能な解データベースを検索することにより最適化する請求項１に記載のシステム。
【請求項２４】
前記中央制御装置が、更に、前記検索可能な解データベースにおいて解が見付からない場合にリアルタイム計算を実行する請求項２３に記載のシステム。
【請求項２５】
照明ネットワークの中央制御装置に動作的に接続されるユーザ制御装置であって、
プロセッサと、
前記プロセッサに動作的に接続されたメモリと、
前記中央制御装置と通信するために前記プロセッサに動作的に接続された通信モジュールと、
を有し、前記プロセッサが、
照明要件を発生し、
該照明要件を、前記通信モジュールを介して前記中央制御装置へ送信する、
ユーザ制御装置。
【請求項２６】
前記照明要件が、領域に対して、平均輝度、均一性及び色温度からなる群から選択される請求項２５に記載のユーザ制御装置。
【請求項２７】
前記照明要件が、交通量、天気、昼／夜の時間、環境条件、規則及びユーザ入力からなる群から選択される因子を含む請求項２５に記載のユーザ制御装置。
【請求項２８】
前記プロセッサに動作的に接続されたセンサを更に有する請求項２５に記載のユーザ制御装置。
【請求項２９】
前記センサが、照明需要分析器及び環境センサからなる群から選択される請求項２８に記載のユーザ制御装置。
【請求項３０】
前記プロセッサが、更に、
前記中央制御装置からのコマンドに反応し、
測定ウインドウを構成し、
該測定ウインドウに関して測定を実行し、
該測定を前記中央制御装置に報告する、
請求項２５に記載のユーザ制御装置。
【請求項３１】
照明ネットワークを最適化する中央制御装置であって、
プロセッサと、
該プロセッサに動作的に接続されたメモリと、
前記照明ネットワークと通信するために前記プロセッサに動作的に接続された通信モジュールと、
を有し、前記プロセッサが、
構成要求を受信し、
最適化目標／制約を受信し、
前記構成要求に関連する照明ユニットを識別し、
照明要件、照度モデル及びコストモデルのうちの少なくとも１つが変化したかを判定し、
前記照明要件、照度モデル及びコストモデルのうちの少なくとも１つが変化した場合に該照明要件、照度モデル及びコストモデルのうちの少なくとも１つを更新し、
前記識別された照明ユニットの動作を、前記最適化目標／制約、照明要件、照度モデル及びコストモデルの関数として最適化し、
前記識別された照明ユニットに、前記最適化された動作に従って動作するよう指令する、
中央制御装置。
【請求項３２】
前記プロセッサが、更に、
第１の関心領域に関する動作測定値を受信し、
前記動作測定値が所望の成績範囲内であるかを判定し、
前記動作測定値が前記所望の成績範囲内でない場合に前記照度モデルを更新し、
前記コストモデルが変化したかを判定し、
前記コストモデルが変化した場合に該コストモデルを更新し、
前記識別された照明ユニットの動作を、前記最適化目標／制約、照明要件、照度モデル及びコストモデルの関数として最適化し、
前記識別された照明ユニットに、前記最適化された動作に従って動作するよう指令する、
請求項３１に記載の中央制御装置。
【請求項３３】
前記プロセッサが、更に、
第２の関心領域に関する測定の必要性を識別し、
前記第２の関心領域に関する移動感知装置の利用可能性をチェックし、
前記移動感知装置の利用可能性を考慮して、探査が必要とされるかを判定し、
前記探査が必要とされる場合に、利用可能な移動感知装置を探査し、
前記利用可能な移動感知装置から動作測定値を収集する、
請求項３２に記載の中央制御装置。
【請求項３４】
前記プロセッサが、更に、
関心領域（ＡＯＩ）の識別情報、測定期間明細、レポートモード及び測定タイプを含む、前記測定の必要性のための測定ウインドウを構成し、
前記利用可能な移動感知装置から動作測定値を前記測定ウインドウに従って収集する、
請求項３３に記載の中央制御装置。
【請求項３５】
前記プロセッサが、更に、前記利用可能な移動感知装置の１つに固有に関連付けられた情報を非特定化する請求項３３に記載の中央制御装置。
【請求項３６】
前記プロセッサが、更に、
前記利用可能な移動感知装置に特定の測定を実行するよう指令し、
前記特定の測定の測定結果を受信し、
前記利用可能な移動感知装置が前記受信された測定結果により正しく校正されたかを判定する、
請求項３３に記載の中央制御装置。
【請求項３７】
前記特定の測定が、選択された照明ユニットに関する特定の測定である請求項３６に記載の中央制御装置。
【請求項３８】
前記プロセッサが、更に、
前記利用可能な移動感知装置の１つのユーザに、該利用可能な移動感知装置の１つを既知の照明値を有する選択された位置に置くよう要求し、
前記利用可能な移動感知装置の１つにより少なくとも１つの照明測定を実行し、
前記利用可能な移動感知装置の１つを、前記少なくとも１つの照明測定に基づいて前記既知の照明値に対し校正する、
請求項３３に記載の中央制御装置。
【請求項３９】
前記既知の照明値が基準光センサから取得される請求項３８に記載の中央制御装置。
【請求項４０】
前記基準光センサが特定の照明ユニットに関連付けられ、前記プロセッサが、更に、前記利用可能な移動感知装置の１つのユーザに該移動感知装置の１つを前記特定の照明ユニットに置くよう要求する請求項３９に記載の中央制御装置。
【請求項４１】
前記既知の照明値が、事前に校正された移動感知装置から取得される請求項３８に記載の中央制御装置。
【請求項４２】
前記第１の関心領域が前記第２の関心領域と同一である請求項３３に記載の中央制御装置。
【請求項４３】
前記第１の関心領域が前記第２の関心領域とは異なる請求項３３に記載の中央制御装置。
【請求項４４】
前記プロセッサが、更に、
移動感知装置を登録し、
ユーザに、前記登録された移動感知装置により測定を実行するよう要求し、
前記ユーザが前記登録された移動感知装置により前記測定を実行することに応答して、該ユーザに利益を提供する、
請求項３２に記載の中央制御装置。
【請求項４５】
前記動作測定値が実験的方法により決定される請求項３２に記載の中央制御装置。
【請求項４６】
前記メモリが前記構成要求、最適化目標／制約、照明要件、照度モデル及びコストモデルを記憶する請求項３１に記載の中央制御装置。
【請求項４７】
前記構成要求が、ユーザ、管理者、電力供給者及び規制者からなる群から選択されるエージェントから受信される請求項３１に記載の中央制御装置。
【請求項４８】
前記コストモデルが、エージェントから受信されるコスト情報から計算される請求項３１に記載の中央制御装置。
【請求項４９】
前記プロセッサが、更に、前記識別された照明ユニットの動作を検索可能な解データベースを検索することにより最適化する請求項３１に記載の中央制御装置。
【請求項５０】
前記プロセッサが、更に、前記検索可能な解データベースにおいて解が見付からない場合にリアルタイム計算を実行する請求項４９に記載の中央制御装置。
【請求項５１】
照明ネットワークの照明ユニット及び中央制御装置に動作的に接続される照明ユニット制御装置であって、
プロセッサと、
該プロセッサに動作的に接続されたメモリと、
前記中央制御装置と通信するために前記プロセッサに動作的に接続された通信モジュールと、
を有し、前記プロセッサが、
構成要求を発生し、
該構成要求を、前記通信モジュールを介して前記中央制御装置に送信し、
該中央制御装置から前記通信モジュールを介して前記照明ユニットの最適化された動作のための動作命令を受信し、
前記照明ユニットに、該動作命令に従って動作するよう指令する、
照明ユニット制御装置。
【請求項５２】
前記構成要求が初期照明ユニット特性を含む請求項５１に記載の照明ユニット制御装置。
【請求項５３】
前記初期照明ユニット特性が、照度モデル、位置、高さ、向き及び電灯装置タイプからなる群から選択される照明ユニット特性である請求項５２に記載の照明ユニット制御装置。
【請求項５４】
前記構成要求が、照明ユニット特性の変更を含む請求項５１に記載の照明ユニット制御装置。
【請求項５５】
前記照明ユニット特性の変更が、環境条件、調光曲線、点灯時間、再生可能なエネルギタイプ及び再生可能エネルギの利用可能性からなる群から選択される照明ユニット特性に関するものである請求項５４に記載の照明ユニット制御装置。
【請求項５６】
前記プロセッサに動作的に接続されたローカルセンサを更に有する請求項５１に記載の照明ユニット制御装置。
【請求項５７】
前記ローカルセンサが、周囲光センサ、気象センサ、交通量センサ、在居検出センサ及び物体認識センサからなる群から選択される請求項５６に記載の照明ユニット制御装置。
【手続補正３】
【補正対象書類名】明細書
【補正対象項目名】０００１
【補正方法】変更
【補正の内容】
【０００１】
［０００１］本開示の技術分野は、照明管理システム、例えば、屋外照明ネットワーク（ＯＬＮ）を含む照明変更／最適化システムである。
【手続補正４】
【補正対象書類名】明細書
【補正対象項目名】０００３
【補正方法】変更
【補正の内容】
【０００３】
［０００３］道路、街路、駐車設備、公園、景観地、歩道及び自転車通路のための照明等は、通常、単一の機関により管理される。例えば、ニューヨーク市の街路灯は、運輸局により管理されている。１つの当局による集中管理は、より良いセキュリティ、より良好な使用の協調及び少ない保守費用を可能にする。殆どの照明は、現在のところ、独立に又は共通電源から給電される小さなグループで稼働している。しかしながら、インターネット及び無線通信システムの発展により、照明をネットワーク化し、斯かる照明の運転を集中型サーバにより管理しようという流れが存在する。
【手続補正５】
【補正対象書類名】明細書
【補正対象項目名】０００４
【補正方法】変更
【補正の内容】
【０００４】
［０００４］ＬＥＤ等の新世代電灯は、調光レベル、カラー、方向（例えば、ＬＥＤパネルを傾斜させ又はＬＥＤ光ビームをデジタル的に形成することにより）及び／又は種々のエネルギ源（例えば、太陽光／風力電力）の取り入れを調整する能力を有する。また、新世代の光源は、顧客に対して一層多くの選択を提供するために照明器具及び固定具の設計を自由にさせる。言い換えると、照明ネットワークは、益々、異種混成のものとなる。このことは、エネルギを節約し、 光害を低減し、及びローカルな照明規則に準拠する際の付加的柔軟性を可能にする。残念ながら、現世代の照明は、この柔軟性を活用することができる制御及び管理システムを採用していない。
【手続補正６】
【補正対象書類名】明細書
【補正対象項目名】０００８
【補正方法】変更
【補正の内容】
【０００８】
［０００８］上述した欠点を克服する照明変更／最適化システムを有することが望ましいであろう。
【手続補正７】
【補正対象書類名】明細書
【補正対象項目名】０００９
【補正方法】変更
【補正の内容】
【０００９】
［０００９］本発明の一態様は、複数の照明ユニットを有する照明ネットワークのための照明管理システムを提供するものであり、該システムは、中央制御装置と、複数の照明ユニット制御装置と、上記中央制御装置及び照明ユニット制御装置を動作的に接続する通信システムとを含む。上記中央制御装置は、構成要求（configuration request）を受信し、最適化目標／制約を受信し、上記複数の照明ユニット制御装置に動作的に接続された上記構成要求に関連する照明ユニットを識別し、照明要件（lighting requirement）、照度モデル及びコストモデルのうちの少なくとも１つが変化したかを判定し、上記照明要件、照度モデル及びコストモデルのうちの少なくとも１つが変化した場合に該照明要件、照度モデル及びコストモデルのうちの少なくとも１つを更新し、上記識別された照明ユニットの動作を上記最適化目標／制約、照明要件、照度モデル及びコストモデルの関数として最適化し、上記識別された照明ユニットに上記最適化された動作に従って動作するように指令すべく前記複数の照明ユニット制御装置に動作命令を送信するよう動作する。
【手続補正８】
【補正対象書類名】明細書
【補正対象項目名】００１０
【補正方法】変更
【補正の内容】
【００１０】
［００１０］本発明の他の態様は、照明ネットワークの中央制御装置に動作的に接続されたユーザ制御装置を提供するものであり、該ユーザ制御装置は、プロセッサと、該プロセッサに動作的に接続されたメモリと、上記中央制御装置と通信するために上記プロセッサに動作的に接続された通信モジュールとを含む。上記プロセッサは、照明要件を発生し、該照明要件を上記通信モジュールを介して上記中央制御装置へ送信するように動作する。
【手続補正９】
【補正対象書類名】明細書
【補正対象項目名】００１１
【補正方法】変更
【補正の内容】
【００１１】
［００１１］本発明の他の態様は照明ネットワークを最適化する中央制御装置を提供するものであり、該装置は、プロセッサと、該プロセッサに動作的に接続されたメモリと、上記照明ネットワークと通信するために上記プロセッサに動作的に接続された通信モジュールとを含む。上記プロセッサは、構成要求を受信し、最適化目標／制約を受信し、上記構成要求に関連する照明ユニットを識別し、照明要件、照度モデル及びコストモデルのうちの少なくとも１つが変化したかを判定し、上記照明要件、照度モデル及びコストモデルのうちの少なくとも１つが変化した場合に該照明要件、照度モデル及びコストモデルのうちの少なくとも１つを更新し、上記識別された照明ユニットの動作を上記最適化目標／制約、照明要件、照度モデル及びコストモデルの関数として最適化し、上記識別された照明ユニットに上記最適化された動作に従って動作するように指令するよう動作する。
【手続補正１０】
【補正対象書類名】明細書
【補正対象項目名】００１２
【補正方法】変更
【補正の内容】
【００１２】
［００１２］本発明の他の態様は、照明ネットワークの照明ユニット及び中央制御装置に動作的に接続される照明ユニット制御装置を提供するものであり、該照明ユニット制御装置は、プロセッサと、該プロセッサに動作的に接続されたメモリと、上記中央制御装置と通信するために上記プロセッサに動作的に接続された通信モジュールとを含む。上記プロセッサは、構成要求を発生し、該構成要求を上記通信モジュールを介して上記中央制御装置に送信し、該中央制御装置から上記通信モジュールを介して上記照明ユニットの最適化された動作のための動作命令を受信し、上記照明ユニットに該動作命令に従って動作するように指令するよう動作する。